【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
閉曲線状の伝送線路とこの伝送線路に配設された第１の接続端とこの第１の接続端から上記伝送線路の同じ方向回りに各々第１の電気長の経路長を置いて上記伝送線路に順次配設された第２、第３，第４の接続端とを有し、第４の接続端と第１の接続端との経路長が第２の電気長を有する電力分配回路と、
上記第１の接続端に接続され、第１の周波数を有する局部発振信号が入力される第１の結合回路と、
上記第２の接続端と接地端との間に配設され、陽極或いは陰極の一方のみを接地端側に向けて接続された第１のダイオード素子と、
上記第３の接続端に接続され、上記第１の周波数の偶数倍の周波数である第２の周波数を有する高周波信号が伝播される第２の結合回路と、
第４の接続端と接地端との間に配設され、上記第１のダイオード素子と同じ極性の方向のみに接続された第２のダイオード素子と、
上記第１の接続端から上記伝送線路に沿い上記第１の電気長の２倍の経路長を有する位置に配設された第５の接続端に接続され、上記局部発振信号と高周波信号とにより規定される中間周波信号が伝播されるフィルタ回路と、を備えるとともに、
上記第１の電気長が局部発振信号の１／４波長程度の長さで、第２の電気長が局部発振信号の３／４波長程度の長さとしたことを特徴とするミキサ回路。
【請求項２】
第５の接続端が第３の接続端と一致されたことを特徴とする請求項１記載のミキサ回路。
【請求項３】
第５の接続端が第１の接続端から、第１、第２、第３、および第４の接続端の順序の並びとは逆方向に廻る位置に配設されたことを特徴とする請求項１記載のミキサ回路。
【請求項４】
閉曲線状の伝送線路とこの伝送線路に配設された第１の接続端とこの第１の接続端から上記伝送線路の同じ方向回りに各々第１の電気長の経路長を置いて上記伝送線路に順次配設された第２、第３，第４の接続端とを有し、第４の接続端と第１の接続端との経路長が第２の電気長を有する電力分配回路と、
上記第３の接続端に接続され、第１の周波数を有する局部発振信号が入力される第１の結合回路と、
上記第２の接続端と接地端との間に配設され、陽極或いは陰極の一方のみを接地端側に向けて接続された第１のダイオード素子と、
上記第１の接続端に接続され、上記第１の周波数の偶数倍の周波数の第２の周波数を有する高周波信号が伝播される第２の結合回路と、
第４の接続端と接地端との間に配設され、上記第１のダイオード素子と逆極性の方向のみに接続された第２のダイオード素子と、
上記第１の接続端から上記伝送線路に沿い上記第１の電気長の２倍の経路長を有する位置に配設された第５の接続端に接続され、上記局部発振信号と高周波信号とにより規定される中間周波信号が伝播されるフィルタ回路と、を備えるとともに、
上記第１の電気長が局部発振信号の１／４波長程度の長さで、第２の電気長が局部発振信号の３／４波長程度の長さとしたことを特徴とするミキサ回路。
【請求項５】
高周波信号に対して開放もしくは開放に近い高インピーダンス回路を更に備え、この高インピーダンス回路を介して第１の結合回路が電力分配回路に接続されたことを特徴とする請求項１ないし４のいずれか１項に記載のミキサ回路。
【請求項６】
所定の周波数の局部発振信号が入力される入力端と位相差がπの上記局部発振信号を出力する第１、第２の出力端とを有する３端子結合回路と、
上記第１の出力端に陽極或いは陰極の一方のみを向けて接続された第１のダイオード素子と、
上記第２の出力端に上記第１のダイオード素子と同じ極性の方向のみに接続された第２のダイオード素子と、
第１の接続端が終端抵抗を介して接地され、第２の接続端に上記局部発振信号の周波数の偶数倍の周波数を有する高周波信号が伝播され、上記第１の接続端と第２の接続端との間が高周波信号の１／４波長程度の電気長を有する第１の線路とこの第１の線路に並行して配設され上記第１の接続端側に第３の接続端を、第２の接続端側に第４の接続端を有し、この第３の接続端が第１のダイオード素子を介して上記３端子結合回路の第１の出力端と接続され，第４の接続端が第２のダイオード素子を介して上記３端子結合回路の第２の出力端と接続された第２の線路とを有する４端子結合回路と、
この４端子結合回路の第４の接続端と第２のダイオード素子との間に配設された上記高周波信号の１／４波長程度の電気長を有する位相調整回路と、
この位相調整回路と上記第２のダイオード素子との接続端及び上記４端子結合回路の第３の接続端と上記第１のダイオード素子との接続端のそれぞれ、或いは上記第１、第２のダイオード素子の上記３端子結合回路側の接続端のそれぞれ、のいずれか一方と接続され、上記局部発振信号と上記高周波信号とにより規定された中間周波信号が伝播されるフィルタ回路と、
を備えたミキサ回路。
【請求項７】
所定の周波数の局部発振信号の偶数倍の周波数を有する高周波信号が伝播される第１の接続端と上記局部発振信号が入力される第２の接続端とを有し、第１の接続端と第２の接続端との間が上記高周波信号の１／４波長程度の電気長を有する第１の線路とこの第１の線路に並行して配設され第１の接続端側に第３の接続端を、第２の接続端側に第４の接続端を有する第２の線路とを有する第１の４端子結合回路と、
この第１の４端子結合回路の第３の接続端に陽極或いは陰極の一方のみを向けて接続された第１のダイオード素子と、
上記第１の４端子結合回路の第４の接続端に上記第１のダイオード素子と同じ極性の方向のみに接続された第２のダイオード素子と、
この第２のダイオード素子と上記４端子結合回路の第４の接続端との間に配設された上記局部発振信号の１／４波長程度の電気長を有する位相調整回路と、
上記第１の４端子結合回路の第３の接続端と第１のダイオード素子との間に接続されるとともに、第１の４端子結合回路の第３の接続端に接続された第１の接続端と接地された第２の接続端とを有し第１の接続端と第２の接続端との間が上記局部発信信号の１／４波長程度の電気長を有する第１の線路およびこの第１の線路に並行して配設され第１の接続端側に配設されかつ接地された第３の接続端と第１のダイオード素子に接続された第４の接続端とを有する第２の線路を有する第２の４端子結合回路と、
第１の接続端が上記第１のダイオード素子に接続されこの第１のダイオード素子を介して上記第１の４端子結合回路の第３の接続端と接続され、第２の接続端が上記第２のダイオード素子と接続されこの第２のダイオード素子を介して上記第１の４端子結合回路の第４の接続端と接続されるとともに、上記局部発振信号と上記高周波信号とにより規定された中間周波信号が伝播されるフィルタ回路と、
を備えたミキサ回路。
【請求項８】
請求項１ないし５のいずれか１項に記載のミキサ回路と、
このミキサ回路の第１の結合回路に接続された局部発振回路とを備え、
上記ミキサ回路の第２の結合回路に送受信兼用アンテナが接続され、上記ミキサ回路のフィルタ回路に中間周波信号処理回路が接続されることを特徴としたレーダー装置用送受信装置。
【請求項９】
請求項６記載のミキサ回路と、
このミキサ回路の３端子結合回路の入力端に接続された局部発振回路とを備え、
上記ミキサ回路の４端子結合回路の第２の接続端に送受信兼用アンテナが接続され、上記ミキサ回路のフィルタ回路に中間周波信号処理回路が接続されることを特徴としたレーダー装置用送受信装置。
【請求項１０】
請求項７記載のミキサ回路と、
このミキサ回路の第１の４端子結合回路の第１の接続端に接続された局部発振回路とを備え、
上記ミキサ回路の第１の４端子結合回路の第２の接続端に送受信兼用アンテナが接続され、上記ミキサ回路のフィルタ回路に中間周波信号処理回路が接続されることを特徴としたレーダー装置用送受信装置。
【手続補正２】
【補正対象書類名】明細書
【補正対象項目名】００１１
【補正方法】変更
【補正の内容】
【００１１】
この発明に係るミキサ回路は、閉曲線状の伝送線路とこの伝送線路に配設された第１の接続端とこの第１の接続端から伝送線路の同じ方向回りに各々第１の電気長の経路長を置いて伝送線路に順次配設された第２、第３，第４の接続端とを有し、第４の接続端と第１の接続端との経路長が第２の電気長を有する電力分配回路と、第１の接続端に接続され、第１の周波数を有する局部発振信号が入力される第１の結合回路と、第２の接続端と接地端との間に配設され、陽極或いは陰極の一方のみを接地端側に向けて接続された第１のダイオード素子と、第３の接続端に接続され、第１の周波数の偶数倍の周波数である第２の周波数を有する高周波信号が伝播される第２の結合回路と、第４の接続端と接地端との間に配設され、第１のダイオード素子と同じ極性の方向のみに接続された第２のダイオード素子と、第１の接続端から伝送線路に沿い第１の電気長の２倍の経路長を有する位置に配設された第５の接続端に接続され、局部発振信号と高周波信号とにより規定される中間周波信号が伝播されるフィルタ回路と、を備えるとともに、第１の電気長を局部発振信号の１／４波長程度の長さで、第２の電気長を局部発振信号の３／４波長程度の長さとしたものである。